(57)【特許請求の範囲】
【請求項１】
左右の支柱における軸支部の回転軸に軸支基部を軸支したアルミダイカスト又は亜鉛ダイカスト製のブラケットによって仕切パネルを跳ね上げ回動自在に支持するとともに該仕切パネルの接地衝撃によるブラケットのクラック乃至破断による仕切パネル落下を防止するようにした跳ね上げ門扉であって，上記ブラケットを上記軸支基部からＶ字状に突出して仕切パネルの上下一対の支持アームにそれぞれ嵌合してネジ固定した一対のアーム取付部とを備えて形成するとともに該一対のうち少なくとも上位一方のアーム取付部の背面に，上記回転軸を挿通して軸支基部を覆い且つ該軸支基部からアーム取付部の背面先端に至る一連にして厚肉一体のステンレス製のプレートを対接重合し，該プレートとともに該アーム取付部を支持アームに嵌合して上記ネジ固定を行ってなること特徴とする跳ね上げ門扉の仕切パネル落下防止装置。
【発明の詳細な説明】
【０００１】
【発明の属する技術分野】
本発明は跳ね上げ門扉の仕切パネル落下防止装置に関する。
【０００２】
【従来の技術及び発明が解決しようとする課題】
左右の支柱に軸支したブラケットによって仕切パネルを跳ね上げ回動自在に支持してなる跳ね上げ門扉が知られ用いられ，このとき上記ブラケットは，例えばアルミダイカスト，亜鉛ダイカスト等の鋳物によって成型されたものが用いられている。
【０００３】
これら鋳物によるブラケットはその成型性から複雑形状にして精度の高いものとし得るために仕切パネルの支持に好適であるが，一方でこれら鋳物の耐衝撃性は，価格が比較的高価となる傾向があるため，例えば中空の孔部を配置したりしてアルミや亜鉛の使用量を減少する肉抜き（肉盗み）がなされる傾向がある。
【０００４】
この種の跳ね上げ門扉にあっては，例えば仕切パネルの降下閉成時に該仕切パネルが接地することによって，ブラケットが接地衝撃を受けるという特殊条件下に置かれることを避けられず，ブラケットが該接地衝撃を受けると，これにクラックや破断を生じて，該ブラケットによって支持した仕切パネルが落下するという可能性があり，その安全対策を講じる必要がある。
【０００５】
本発明はかかる事情に鑑みてなされたもので，その解決課題とするところは，上記特殊条件下に置かれることによってブラケットにクラックや破断が生じても仕切パネルの支持状態を継続確保して，安全の確保をなし得るようにした跳ね上げ門扉の仕切パネル落下防止装置を提供するにある。
【０００６】
【課題を解決するための手段】
上記課題に沿って請求項１に記載の発明を，左右の支柱における軸支部の回転軸に軸支基部を軸支したアルミダイカスト製のブラケットによって仕切パネルを跳ね上げ回動自在に支持するとともに該仕切パネルの接地衝撃によるブラケットのクラック乃至破断による仕切パネル落下を防止するようにした跳ね上げ門扉であって，上記ブラケットを上記軸支基部からＶ字状に突出して仕切パネルの上下一対の支持アームにそれぞれ嵌合してネジ固定した一対のアーム取付部とを備えて形成するとともに該一対のうち少なくとも上位一方のアーム取付部の背面に，上記回転軸を挿通して軸支基部を覆い且つ該軸支基部からアーム取付部の背面先端に至る一連にして厚肉一体のステンレス製のプレートを対接重合し，該プレートとともに該アーム取付部を支持アームに嵌合して上記ネジ固定を行ってなること特徴とする跳ね上げ門扉の仕切パネル落下防止装置とし，これを発明の要旨として上記課題解決の手段としたものである。
【０００７】
【発明の実施の形態】
以下図面の例に従って本発明を更に具体的に説明すれば，Ａは跳ね上げ門扉であり，該跳ね上げ門扉Ａは，左右の支柱１における軸支部の回転軸２に軸支基部１０を軸支したアルミダイカスト又は亜鉛ダイカスト製のブラケット３によって仕切パネル４を跳ね上げ回動自在に支持するとともに該仕切パネル４の接地衝撃によるブラケット３のクラック乃至破断による仕切パネル４落下を防止するようにしたものとしてあり，このとき上記ブラケット３を上記軸支基部１０からＶ字状に突出して仕切パネル４の上下一対の支持アーム６にそれぞれ嵌合してネジ１３固定した一対のアーム取付部１１とを備えて形成するとともに該一対のうち少なくとも上位一方のアーム取付部１１の背面に，上記回転軸２を挿通して軸支基部１０を覆い且つ該軸支基部１０からアーム取付部１１の背面先端に至る一連にして厚肉一体のステンレス製のプレート１４を対接重合し，該プレート１４とともに該アーム取付部１１を支持アーム６に嵌合して上記ネジ１３固定を行ったものとしてあり，該跳ね上げ門扉Ａは，例えば電動又は手動によって支柱１内に内蔵設置した図示省略のパネル回動機構によって上記仕切パネル４を垂直の降下閉成状態から支柱１上方の跳ね上げ位置の上昇開成状態までの間で上下方向に跳ね上げ回動してその開閉を行なうようにしてある。
【０００８】
即ち本例にあってブラケット３は，厚幅ブロック状にして所定形状をなす軸支基部１０及び該軸支基部１０から所定角度のＶ字形をなすように突出した断面矩形太軸のアーム取付部１１とを鋳造成型によって一体に備えたアルミダイカスト製のものとしてあり，このとき軸支基部１０及び／又はアーム取付部１１は，ブラケット３としての強度を確保するに必要且つ充分な肉厚を残存確保して，部分的に背面側開口の中空の孔部を配置し，その肉抜きを行なったものとしてある。
【０００９】
仕切パネル４からの上下一対の支持アーム６は，例えば仕切パネル４の外枠における左右の縦枠５に上下離隔位置から支柱１側に向けて突出するようにしてあり，このとき上下一対のうち，上位の支持アーム６は，これを仕切パネル４と直交するように縦枠５長手方向上端乃至その近傍から降下閉成状態で水平方向となるように突出し，下位の支持アーム６は先端が上位の支持アーム６の先端に近接するように縦枠５長手方向中間から上向きに傾斜するように突出するとともに先端側において，上記ブラケット３における上記一対のアーム取付部１１の角度と同一角度をなすようにしてあり，これによって該支持アーム６と上記アーム取付部１１とを相互に嵌合してネジ１３固定により，その固定をなすようにしてあり，該ネジ１３固定は，本例において支持アーム６側からブラケット３の各アーム取付部１１に設置したネジ受孔１２にネジ１３を螺入してこれを行なうようにしてある。
【００１０】
このとき上記一対のアーム取付部１１の一方又は双方，本例にあっては該一対のうち上位一方のアーム取付部１１に上記ステンレス製のプレート１４を配置し該プレート１４を介して上記ネジ１３固定を行なったものとしてある。
【００１１】
即ちステンレス製のプレート１４は，例えば厚肉のステンレス板を用いて，上記軸支基部１０からアーム取付部１１，本例にあっては一方のアーム取付部１１に沿う長さと幅を有するとともに軸支基部１０に対応する部位にブラケット３を軸支する回転軸を挿通する透孔１６を，上記ネジ１３固定する部位に該ネジ１３を同じく挿通する透孔１７をそれぞれ透設し，本例にあってはブラケット３背面の軸支基部１０と上記一方のアーム取付突部１１間に形成した段部に合せて長手方向中間にしてこれに対応する部位に段部１５を配置し，ブラケット３の背面に該プレート１４を重ねるように配置することによって相互に対接して重合する形状のものとしてある。
【００１２】
プレート１４は，これを上記ブラケット３に重合配置し，該配置状態で透孔１６に回転軸２を挿通してブラケット３を支柱１に固定し，アーム取付部１１を上記上位一方の支持アーム６と嵌合し，その後に上記ネジ１３固定を行なうようにして，その支柱１への設置と仕切パネル４の支持を行なうものとしてあり，これによってプレート１４は，支柱１とブラケット３の軸支基部１０間に，またブラケット３のアーム取付部１１と仕切パネル４の支持アーム６間にそれぞれ長手方向の一部を介装するように配置され，一連にして厚肉一体の該プレート１４がこのように配置されることによって，ブラケット３による仕切パネル４の支持に際して，例えば該ブラケット３にクラックや破断が生じても，回転軸２とネジ１３がプレート１４によって保持される結果，仕切パネル４の支柱１への支持が損なわれ，仕切パネル４が落下するような危険を解消することができ，このとき本例のプレート１４は，これを上記上位の支持アーム６用のアーム取付部１１に配置するようにしたことによって，ブラケット３に問題が生じても仕切パネル４の支持を安定して行うものとすることができる。
【００１３】
従って仕切パネル４が上下方向に跳ね上げ回動する構造によって，仕切パネル４の降下閉成に際して，仕切パネル４が受ける接地衝撃がブラケット３に伝達されて，ブラケット３が衝撃を受ける特殊条件下に置かれる跳ね上げ門扉Ａにおいて，ブラケット３にクラックや破断が生じる可能性が残ることによる仕切パネル４の落下を防止して，その安全対策を行なうことができる。
【００１４】
図示した例は以上のとおりとしたが，本発明の実施に当ってプレートを，一対のアーム取付部の双方に配置すること等を含めて，本発明の実施に当って跳ね上げ門扉，その仕切パネル，支持アーム，ブラケット，そのアーム取付部，プレート等の各具体的構造，形状，材質，これらの関係，これらに対する付加等は上記発明の要旨に反しない限り様々な形態のものとすることができる。
【００１５】
【発明の効果】
本発明は以上のとおりに構成したから，請求項１に記載の発明は，ブラケットが仕切りパネルの接地衝撃を受けるという特殊条件下に置かれることによってクラックや破断が生じても，仕切パネルの落下を防止し，その仕切パネルの支持状態を継続確保して，安全を確保し得るようにした跳ね上げ門扉の仕切パネル落下防止装置を提供することができる。
【図面の簡単な説明】
【図１】  跳ね上げ門扉の側面図である。
【図２】  支柱，ブラケット及び支持アームの関係を示す斜視図である。
【図３】  鋼製プレートを配置したブラケットの背面図である。
【図４】  支柱へのブラケット取付状態を示す分解斜視図である。
【図５】  鋼製プレートの斜視図である。
【符号の説明】
Ａ  跳ね上げ門扉
１  支柱
３  ブラケット
４  仕切パネル
６  支持アーム
１０  軸支基部
１１  アーム取付部
１４  プレート
【図１】
0004057794.tif 000002
【図２】
0004057794.tif 000003
【図３】
0004057794.tif 000004
【図４】
0004057794.tif 000005
【図５】
0004057794.tif 000006